(57)【要約】【課題】リモコン装置の釦を増やすことなく、容易な操作で、希望の放送種別や外部入力に切り換えることができる受信装置を提供する。【解決手段】テレビジョン受像機１００において、放送種別又は外部入力端子２８１が割り当てられるとともに、チャンネルが割り当てられた数字釦１２を備えるリモコン装置１を備え、第１切換手段は、リモコン装置１における数字釦１２の第１の操作に基づいて、当該数字釦１２に割り当てられた放送種別又は外部入力端子２８１に切り換え、第２切換手段は、リモコン装置１における数字釦１２の第２の操作に基づいて、当該数字釦１２に割り当てられたチャンネルに切り換える。【選択図】図３
2009088610.tif 000002
【特許請求の範囲】
【請求項１】
複数の放送種別の放送データ及び／又は外部入力端子から入力されるコンテンツデータを受信可能な受信装置において、
放送種別又は外部入力端子が割り当てられるとともに、チャンネルが割り当てられた数字釦を備えるリモコン装置と、
前記リモコン装置における前記数字釦の第１の操作に基づいて、当該数字釦に割り当てられた放送種別又は外部入力端子に切り換える第１切換手段と、
前記リモコン装置における前記数字釦の第２の操作に基づいて、当該数字釦に割り当てられたチャンネルに切り換える第２切換手段と、
を備えることを特徴とする受信装置。
【請求項２】
前記数字釦に割り当てられる放送種別又は外部入力端子を設定する設定手段を備えることを特徴とする請求項１に記載の受信装置。
【請求項３】
前記第１切換手段は、
前記リモコン装置における前記数字釦の第１の操作が行われた際に、当該数字釦に割り当てられた放送種別の放送データ又は外部入力端子のコンテンツデータが受信できない場合には、当該放送種別又は当該外部入力端子への切り換えを行わず、
当該放送種別の放送データ又は当該外部入力端子のコンテンツデータが受信できない旨を報知する報知手段を備えることを特徴とする請求項１又は２に記載の受信装置。
【請求項４】
前記数字釦に割り当てられた放送種別又は外部入力端子に関する情報を表示する表示手段を備えることを特徴とする請求項１〜３の何れか一項に記載の受信装置。
【請求項５】
複数の放送種別の放送データ及び／又は外部入力端子から入力されるコンテンツデータを受信可能な受信装置において、
放送種別又は外部入力端子が割り当てられるとともに、チャンネルが割り当てられた数字釦を備えるリモコン装置と、
前記数字釦に割り当てられる放送種別又は外部入力端子を設定する設定手段と、
前記数字釦に割り当てられた放送種別又は外部入力端子に関する情報を表示する表示手段と、
前記リモコン装置における前記数字釦の長押し操作に基づいて、当該数字釦に割り当てられた放送種別又は外部入力端子に切り換える第１切換手段と、
前記リモコン装置における前記数字釦の短押し操作に基づいて、当該数字釦に割り当てられたチャンネルに切り換える第２切換手段と、
を備え、
前記第１切換手段は、
前記リモコン装置における前記数字釦の長押し操作が行われた際に、当該数字釦に割り当てられた放送種別の放送データ又は外部入力端子のコンテンツデータが受信できない場合には、当該放送種別又は当該外部入力端子への切り換えを行わず、
当該放送種別の放送データ又は当該外部入力端子のコンテンツデータが受信できない旨を報知する報知手段を備えることを特徴とする受信装置。
【発明の詳細な説明】
【技術分野】
【０００１】
本発明は、放送データの放送種別や外部入力の切り換えが可能な受信装置に関する。
【背景技術】
【０００２】
従来、放送データや、外部機器からのコンテンツデータを受信する受信装置では、リモコン装置に、放送種別や外部入力端子を切り換えるための入力切換専用の釦が設けられている。そのため、釦の数が増えてリモコン装置が使い難くなったり、リモコン装置のサイズが大きくなってしまう。
そこで、例えば、特許文献１には、同一の選局ボタンが所定時間内に連続して押されると、受信チューナが順に切り換えられるテレビジョン装置が提案されている。
【特許文献１】特開２００６−１９７０８４号公報
【発明の開示】
【発明が解決しようとする課題】
【０００３】
しかしながら、特許文献１のように、入力切換専用の釦を用いて希望の入力に切り換える場合には、希望の入力に切り換えられるまで釦を押下し続ける必要があったり、入力切換釦を何度も押下しなければならず、入力の切換に手間がかかるという問題があった。
また、従来の受信装置では、視聴者が利用しない放送種別や外部入力端子にも切り換えられることとなるため、余計に無駄な手間がかかってしまい、操作性が悪いという問題があった。
【０００４】
本発明の課題は、リモコン装置の釦を増やすことなく、容易な操作で、希望の放送種別や外部入力に切り換えることができる受信装置を提供することである。
【課題を解決するための手段】
【０００５】
上記課題を解決するため、請求項１に記載の発明は、複数の放送種別の放送データ及び／又は外部入力端子から入力されるコンテンツデータを受信可能な受信装置において、
放送種別又は外部入力端子が割り当てられるとともに、チャンネルが割り当てられた数字釦を備えるリモコン装置と、
前記リモコン装置における前記数字釦の第１の操作に基づいて、当該数字釦に割り当てられた放送種別又は外部入力端子に切り換える第１切換手段と、
前記リモコン装置における前記数字釦の第２の操作に基づいて、当該数字釦に割り当てられたチャンネルに切り換える第２切換手段と、
を備えることを特徴とする。
【０００６】
請求項２に記載の発明は、請求項１に記載の受信装置において、前記数字釦に割り当てられる放送種別又は外部入力端子を設定する設定手段を備えることを特徴とする。
【０００７】
請求項３に記載の発明は、請求項１又は２に記載の受信装置において、前記第１切換手段は、
前記リモコン装置における前記数字釦の第１の操作が行われた際に、当該数字釦に割り当てられた放送種別の放送データ又は外部入力端子のコンテンツデータが受信できない場合には、当該放送種別又は当該外部入力端子への切り換えを行わず、
当該放送種別の放送データ又は当該外部入力端子のコンテンツデータが受信できない旨を報知する報知手段を備えることを特徴とする。
【０００８】
請求項４に記載の発明は、請求項１〜３の何れか一項に記載の受信装置において、前記数字釦に割り当てられた放送種別又は外部入力端子に関する情報を表示する表示手段を備えることを特徴とする。
【０００９】
請求項５に記載の発明は、複数の放送種別の放送データ及び／又は外部入力端子から入力されるコンテンツデータを受信可能な受信装置において、
放送種別又は外部入力端子が割り当てられるとともに、チャンネルが割り当てられた数字釦を備えるリモコン装置と、
前記数字釦に割り当てられる放送種別又は外部入力端子を設定する設定手段と、
前記数字釦に割り当てられた放送種別又は外部入力端子に関する情報を表示する表示手段と、
前記リモコン装置における前記数字釦の長押し操作に基づいて、当該数字釦に割り当てられた放送種別又は外部入力端子に切り換える第１切換手段と、
前記リモコン装置における前記数字釦の短押し操作に基づいて、当該数字釦に割り当てられたチャンネルに切り換える第２切換手段と、
を備え、
前記第１切換手段は、
前記リモコン装置における前記数字釦の長押し操作が行われた際に、当該数字釦に割り当てられた放送種別の放送データ又は外部入力端子のコンテンツデータが受信できない場合には、当該放送種別又は当該外部入力端子への切り換えを行わず、
当該放送種別の放送データ又は当該外部入力端子のコンテンツデータが受信できない旨を報知する報知手段を備えることを特徴とする。
【発明の効果】
【００１０】
本発明によれば、放送種別又は外部入力端子が割り当てられるとともに、チャンネルが割り当てられた数字釦を備えるリモコン装置が備わり、第１切換手段により、リモコン装置における数字釦の第１の操作に基づいて、当該数字釦に割り当てられた放送種別又は外部入力端子に切り換えられ、第２切換手段により、リモコン装置における数字釦の第２の操作に基づいて、当該数字釦に割り当てられたチャンネルに切り換えられる。
したがって、リモコン装置の釦を増やすことなく、容易な操作で、希望の放送種別や外部入力に切り換えることができる受信装置を提供することができる。
【発明を実施するための最良の形態】
【００１１】
以下、本発明の実施の形態を、図面を参照しながら説明する。なお、本発明の範囲は、図示例に限定されない。
【００１２】
図１は、本実施形態における受信装置としてのテレビジョン受像機１００の全体構成を例示する図である。
本実施形態のテレビジョン受像機１００は、例えば、地上デジタル放送、地上アナログ放送、ＢＳデジタル放送、ＣＳデジタル放送（広帯域ＣＳデジタル放送・狭帯域ＣＳデジタル放送）等の、複数の放送種別の放送データを受信する共用受信機である。なお、以下の説明では、デジタル放送の映像・音声処理を中心に説明する。
図１に示すように、本テレビジョン受像機１００は、ユーザが各種指示を入力するリモコン装置１と、このリモコン装置１により遠隔操作される本体部２と、を備えて構成されている。
【００１３】
また、本体部２には、各種の外部機器２００・・・、が各種ケーブルにより接続されており、各外部機器２００・・・、からのコンテンツデータを、ケーブルが接続された外部入力端子２８１（後述）において受信する。
外部機器２００・・・、は、例えば、ＤＶＤ（Digital Versatile Disc）プレーヤ、ＤＶＤレコーダ、Ｄ−ＶＨＳ（Data Video Home System）ビデオデッキ、パソコン（Personal Computer）、ゲーム機等である。
【００１４】
図２は、リモコン装置１の平面図である。図２に示すように、リモコン装置１には、ユーザが本体部２に対して各種指示を入力するための複数の釦を備える操作部が設けられている。操作部に備わる複数の釦は、例えば、電源釦１１、各釦に１〜１２の数字が割り当てられた１２個の数字釦１２、メニュー釦１３、ＥＰＧ（電子番組表）釦１４、リターン釦１５、音声切換釦１６、上下左右を指示するカーソル釦１７、決定釦１８、チャンネルアップ／ダウン釦１９、ボリュームアップ／ダウン釦２０等である。
【００１５】
リモコン装置１に備わるこれらの釦の各々には識別情報が割り当てられており、所定の記憶領域に記憶されている。そして、ユーザにより釦の押下操作が行われると、操作された釦の識別情報が読み出されて、当該識別情報に対応するリモコン信号が生成される。そして、生成されたリモコン信号が図示しない送信部から送信され、本体部２の前面パネル等に設けられたリモコン信号受光部２１において受信される。
【００１６】
数字釦１２の各々には、各放送種別の放送におけるチャンネルが割り当てられて所定の記憶領域に記憶されており、この数字釦１２の短押し操作（第２の操作）に基づいて、当該数字釦１２に対応付けられて記憶されているチャンネルの選局を指示するワンタッチ釦として用いられる。
また、選局法切換釦（図示省略）を設けて、３桁チャンネル番号等を直接入力するための釦に切り換えることが可能であっても良い。
【００１７】
また、１〜１２の数字釦１２のうち、一又は複数の数字釦１２の各々には、地上アナログ放送・地上デジタル放送・ＢＳデジタル放送・広帯域ＣＳデジタル放送・狭帯域ＣＳデジタル放送等の放送種別、又は、入力端子部２８（後述）に備わる外部入力端子２８１（後述）が予め割り当てられて記憶されている。そして、この数字釦１２の長押し操作（第１の操作）に基づいて、当該数字釦１２に対応付けられた放送種別又は外部入力端子２８１への切り換えを指示する釦として機能する。
例えば、数字釦「１」１２に、セパレート映像端子及び音声端子（外部入力１）が対応付けられている場合、数字釦「１」１２が長押し操作されると、当該セパレート映像端子及び音声端子により本体部２に接続された外部機器２００・・・、からのコンテンツデータの受信を行うための切換処理を指示する制御信号が、制御部３５により切換部２９に出力される。
【００１８】
図３は、テレビジョン受像機１００の本体部２の要部構成を例示するブロック図である。
図３に示すように、本体部２は、リモコン装置１からのリモコン信号を受信するリモコン信号受光部２１、地上デジタル放送の放送データを受信する地上デジタルアンテナ２２、地上アナログ放送の放送データを受信する地上アナログアンテナ２３、ＢＳデジタル放送及びＣＳデジタル放送の放送データを受信するＢＳ・ＣＳアンテナ２４、地上デジタルアンテナ２２、地上アナログアンテナ２３、ＢＳ・ＣＳアンテナ２４により受信された放送データから希望チャンネルの放送データを選局する受信手段としてのチューナ２５、チューナ２５により選局された放送データを復調する復調部２６、復調部２６により復調された放送データを複数のデータに分離してデコードするデコーダ部２７、外部機器２００・・・、を接続するための複数の外部入力端子２８１ａ〜ｄを備える入力端子部２８、各放送種別の放送データ及び各外部機器２００・・・、からのコンテンツデータを切換選択するための切換部２９、切換部２９から入力される映像信号に対して所定の映像処理を行う映像処理部３０、切換部２９から入力される音声信号に対して所定の音声処理を行う音声処理部３１、映像処理部３０により処理された映像信号にＯＳＤデータを付加するＯＳＤ回路３２、映像処理部３０により処理された映像信号を出力する表示部３３、音声処理部３１により処理された音声信号を出力する音声出力部３４、テレビジョン受像機１００全体を統括制御する制御部３５等を備えており、各部はバスにより接続されている。
【００１９】
リモコン信号受光部２１は、例えば、図示は省略するが、フォトダイオード、ＳＵＢＣＰＵ、増幅部、復調部、デコーダ等を備えて構成されており、リモコン装置１から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部３５に対して出力する。制御部３５では、入力されたリモコン信号から識別情報を取得し、取得した識別情報に基づいて操作されたキーの判別を行う。
【００２０】
地上デジタルアンテナ２２、地上アナログアンテナ２３、ＢＳ・ＣＳアンテナ２４のそれぞれは、例えば、屋外において所定の方向に向けて配置され、各放送種別の高周波信号（放送データ）を受信する。
【００２１】
チューナ２５は、例えば、地上デジタル放送、地上アナログ放送、ＢＳデジタル放送、ＣＳデジタル放送等の各放送種別に対応するチューナ２５を備える。例えば、地上デジタルチューナは、地上デジタルアンテナ２２により入力された高周波信号の放送データの中から、ＢＰＦ（バンドパスフィルタ）により特定周波数帯の信号を抽出して増幅し、局部発振器及びミキサにより周波数変換する。更に、ＢＰＦにより特定周波数帯の信号を抽出して、低周波信号に変換した後にＬＰＦ（ローパスフィルタ）を介してＡＤ変換等を行い、復調部２６に出力する。また、例えば、ＢＳ・ＣＳチューナは、ＢＳ・ＣＳアンテナ２４により入力され、ＩＦ信号に変換された放送データを増幅した後に、局部発振器及び２つのミキサにより所定の信号を生成する。そして、ＬＰＦを介して特定周波数帯の信号を取得した後に、ＡＤ変換等を行って復調部２６に出力する。
【００２２】
復調部２６は、例えば、地上デジタル放送、地上アナログ放送、ＢＳデジタル放送、ＣＳデジタル放送等の各放送種別に対応する復調部２６を備え、制御部３５からの制御に基づいて、チューナ２５において選局されたチャンネルの信号に対して復調や誤り訂正などの処理を実行し、デジタル放送データであればＴＳを生成して、分離部２７１に出力する。
【００２３】
デコーダ部２７は、例えば、分離部２７１、ビデオデコーダ２７２、オーディオデコーダ２７３、データデコーダ２７４等を備えて構成されている。
分離部２７１は、復調部２６から入力される放送データをビデオデータ、オーディオデータ、デジタル放送におけるＰＳＩ（Program Specific Information:番組特定情報）、ＳＩ（Service Information: 番組配列情報）等の複数のストリームに分離する。ＰＳＩは、ＰＭＴ（Program Map Table）、ＰＡＴ（Program Association Table）、ＮＩＴ（Network Information Table）、ＣＡＴ（Conditional Access Table）のテーブルであり、ＴＳパケットのＰＩＤ(Packet Identifier)に基づいて、選局された番組の提供に必要なパケットを選択する処理等に用いられる。また、ＳＩは、サービス（チャンネル）に関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）等の各種テーブルである。ＥＩＴのＥＩＴ scheduledには、現在放送中の番組及び８日以内に放送予定の番組に関する情報（例えば、タイトル、チャンネル、放送局、ジャンル、放送時刻としての放送開始時刻・放送終了時刻、出演者、番組内容等）が記述され、電子番組表（ＥＰＧ）として用いられる。
ＣＰＵ３５１は、ＰＳＩと各ＴＳパケットが有するＰＩＤに基づいて、必要なＴＳパケットを取得して、ＭＰＥＧ２（Moving Picture Experts Group 2）規格下のビデオストリームをビデオデコーダ２７２に、オーディオストリームをオーディオデコーダ２７３に、さらに、必要なＳＩをデータデコーダ２７４に出力する。
【００２４】
ビデオデコーダ２７２は、分離部２７１から入力されたビデオストリームをデコードする。具体的には、ビデオデコーダ２７２は、ビデオストリームに、可変長復号化、逆量子化、逆ＤＣＴ、動き補正等の各種処理を行うことで、ビデオストリームをＤＴＳ(Decoding Time Stamp)に応じたタイミングでデコードし、映像データを生成して切換部２９を介して映像処理部３０に出力する。
オーディオデコーダ２７３は、分離部２７１から入力されたオーディオストリームをデコードし、音声データを生成して切換部２９を介して音声処理部３１に出力する。
データデコーダ２７４は、分離部２７１から入力された字幕データ、ＳＩ等をデコードし、制御部３５、ＯＳＤ回路３２等に出力する。制御部３５に入力されたＳＩは、ＥＰＧ情報として図示しないＥＰＧメモリに格納されることとなる。
【００２５】
入力端子部２８は、例えば、本体部２の前面部や背面部等に設けられており、各種外部機器２００・・・、を接続する複数の外部入力端子２８１ａ〜ｄを備える。各外部入力端子２８１ａ〜ｄには、外部機器２００・・・、のケーブルが接続され、ケーブルを介して外部機器２００・・・、から入力されるコンテンツデータを各外部入力端子２８１において受信する。
入力端子部２８に備わる複数の外部入力端子２８１ａ〜ｄ（外部入力１〜４）は、例えば、輝度信号と色信号を別々に伝送するセパレート映像端子（Ｓ端子）、輝度信号と２つの色差信号（B-Y色差信号・R-Y色信号）を別々に伝送するコンポーネント映像端子、輝度信号と２つの色差信号（B-Y色差信号・R-Y色信号）を１本のケーブルで別々に伝送するＤ映像端子、映像信号・音声信号・制御信号の非圧縮デジタル信号を１本のケーブルで伝送するＨＤＭＩ（High Definition Multimedia Interface）端子、各映像端子に対応する音声端子（図示省略）等である。
【００２６】
切換部２９は、テレビジョン受像機１００で受信可能な複数の放送種別の放送データと、テレビジョン受像機１００に接続された各外部機器２００・・・、から入力されるコンテンツデータのうちから、何れかを接続する切換処理を行うことにより、各放送種別の放送データ及び外部機器２００・・・、から入力されるコンテンツデータを受信して、必要な場合には、デコーダ部２７を介して、後段の映像処理部３０、音声処理部３１等に出力する。
具体的には、ユーザが、リモコン装置１に備わる数字釦１２を長押し操作（第１の操作）すると、当該長押し操作により入力されるリモコン信号に基づいて、押下された数字釦１２に設定されている放送種別の放送データ又は外部機器２００・・・、のコンテンツデータへの切換選択を指示する制御信号が制御部３５から出力される。切換部２９は、制御部３５からの制御信号にしたがって、押下された数字釦１２に設定されている放送種別の放送データ又は外部機器２００・・・、のコンテンツデータに切り換える。これにより、切換部２９は、第１の切換手段の一部を構成する。
【００２７】
映像処理部３０は、切換部２９を介して入力された映像データに対して各種映像処理を施し、映像信号を生成する。生成された映像信号は、フレームメモリ（図示省略）に一旦格納された後に、ＰＴＳ(Presentation Time Stamp)に応じた再生タイミングで、表示部３３に出力される。
また、音声処理部３１は、切換部２９を介して入力された音声データに対して各種音声処理を施して、音声信号を生成し、生成された音声信号をＰＴＳに応じた再生タイミングで、音声出力部３４に出力する。
ＯＳＤ回路３２は、ＥＰＧの表示に際して、ＥＰＧメモリに格納されたＳＩから必要なデータを読み出し、読み出したデータに基づいてＥＰＧ表示用データを生成する。そして、生成されたＥＰＧ表示用データを、映像処理部３０から出力される映像信号に合成させ、表示部３３においてＥＰＧを表示させる。
【００２８】
表示部３３は、例えば、ＬＣＤ（Liquid Crystal Display）、ＰＤＰ（Plasma Display Panel）、有機ＥＬ(Electro Luminescence)ディスプレイ等の図示しないディスプレイを備え、映像処理部３０から入力された映像信号に基づく映像を当該ディスプレイに表示させる。
【００２９】
音声出力部３４は、例えば、図示しないスピーカ等を備え、音声処理部３１から入力された音声信号に基づく音声を増幅して、スピーカにより出力させる。
【００３０】
制御部３５は、ＣＰＵ（Central Processing Unit）３５１、ＳＴＣ(System Time Clock)等の計時部３５２、ＲＡＭ（Random Access Memory）３５３等の揮発性メモリ、ＥＰＲＯＭ（Erasable Programmable ROM）３５４等の不揮発性メモリ、ＲＯＭ（Read Only Memory）３５５等を備えて構成されている。
【００３１】
ＣＰＵ３５１は、本体部２の各部から入力された入力信号や、リモコン装置１における各種キーの押下操作によって入力されたリモコン信号等に応じて、ＲＯＭ３５５に格納された各種プログラムを実行するとともに、実行にかかるプログラムに基づいて本体部２の各部に出力信号を出力することにより、テレビジョン受像機１００の動作全般を統括制御する。
【００３２】
ＲＡＭ３５３は、ＣＰＵ３５１のワークエリアとして用いられ、ＣＰＵ３５１によって各種プログラムが実行される際に生じる処理結果や、入力されたデータ等を記憶する。
【００３３】
ＥＰＲＯＭ３５４は、例えば、設定プログラム３５５ａ（後述）の実行において、リモコン装置１に備わる数字釦１２の各々に対応付けられた放送種別又は外部入力端子２８１を記憶する設定メモリ３５４ａを備える。設定メモリ３５４ａについては、後述する設定プログラム３５５ａの説明において詳述する。
【００３４】
ＲＯＭ３５５は、不揮発性メモリから成るプログラム格納エリアを有しており、具体的には、設定プログラム３５５ａ、表示プログラム３５５ｂ、第１切換プログラム３５５ｃ、第２切換プログラム３５５ｄ等を備えている。
【００３５】
設定プログラム３５５ａは、例えば、ＣＰＵ３５１に、数字釦１２に割り当てられる放送種別又は外部入力端子２８１を設定する機能を実現させるためのプログラムである。
具体的には、ＣＰＵ３５１は、リモコン信号受光部２１を介して入力されるリモコン信号に基づいて、リモコン装置１におけるユーザの指示操作を監視している。そして、表示部３３のメニュー画面等において、数字釦１２への放送種別・外部入力端子２８１の割り当てを設定する切換設定画面の表示を指示する操作が行われると、ＣＰＵ３５１は、図４に例示する切換設定画面を表示部３３に表示させる。
【００３６】
図４の切換設定画面において、ユーザは、リモコン装置１に備わる数字釦１２の各々に、放送種別又は外部入力端子２８１の一を割り当てる。ユーザは、例えば、放送種別又は外部入力端子２８１の割り当てを行いたい数字釦１２の欄にフォーカスを合わせ、決定釦１８を押下する。すると、数字釦１２の欄のフォーカスが、数字釦１２に対応付けられた放送種別・外部入力端子欄に遷移するので、カーソル釦１７の上下釦を押下して、割り当てたい放送種別又は外部入力端子２８１ａ〜ｄを選択し、決定釦１８の押下で確定する。
図４の切換選択画面では、例えば、数字釦「１」１２に外部入力端子２８１ａ（外部入力１）が割り当てられ、数字釦「２」１２に外部入力端子２８１ｂ（外部入力２）が割り当てられ、数字釦「３」１２に外部入力端子２８１ｃ（外部入力３）が割り当てられ、数字釦「４」１２に外部入力端子２８１ｄ（外部入力４）が割り当てられている。また、数字釦「５」１２に地上アナログ放送が割り当てられ、数字釦「６」１２に地上デジタル放送が割り当てられ、数字釦「７」１２にＢＳデジタル放送が割り当てられ、数字釦「８」１２にＣＳ１デジタル放送が割り当てられ、数字釦「９」１２にＣＳ２デジタル放送が割り当てられる。
当該設定画面において、各数字釦１２に割り当てられた放送種別又は外部入力端子２８１ａ〜ｄは、設定メモリ３５４ａに記憶されることとなる。図５は、図４の切換選択画面において設定され各数字釦１２への割り当てを記憶する設定メモリ３５４ａを例示する図である。
ＣＰＵ３５１は、かかる設定プログラム３５５ａの実行により、設定メモリ３５４ａとともに、設定手段として機能する。
【００３７】
表示プログラム３５５ｂは、数字釦１２に割り当てられた放送種別又は外部入力端子２８１に関する情報を表示する機能を実現させるためのプログラムである。
具体的には、ＣＰＵ３５１は、ユーザにより、メニュー画面において、数字釦１２への放送種別・外部入力端子２８１の割り当てを表示する設定表示画面の表示を指示する操作が行われると、ＣＰＵ３５１は、図６に例示する設定表示画面を表示部３３に表示させる。
図６の設定表示画面では、設定プログラム３５５ａの実行において各数字釦１２に割り当てられ、設定メモリ３５４ａに記憶された放送種別又は外部入力端子２８１ａ〜ｄを表示している。
【００３８】
また、例えば、放送種別又は外部入力端子２８１ａ〜ｄが割り当てられた数字釦１２が長押し操作された際に、当該数字釦１２に割り当てられている放送種別又は外部入力端子２８１に関する情報を、図７に示すように、表示部３３上にＯＳＤ表示しても良い。
また、各数字釦１２への割り当てが予めなされている場合には、リモコン装置１のキー操作部１ａにおいて、各数字釦１２の長押し操作により切り換えられることとなる放送種別又は外部入力端子２８１を表示させても良い。
ＣＰＵ３５１は、かかる表示プログラム３５５ｂの実行により、表示部３３とともに、表示手段として機能する。
【００３９】
第１切換プログラム３５５ｃは、例えば、ＣＰＵ３５１に、リモコン装置１における数字釦１２の長押し操作（第１の操作）に基づいて、当該数字釦１２に割り当てられた放送種別又は外部入力端子２８１に切り換える機能を実現させるためのプログラムである。また、第１切換プログラム３５５ｃは、リモコン装置１における数字の長押し操作（第１の操作）が行われた際に、当該数字釦１２に割り当てられた放送種別の放送データ又は外部入力端子２８１のコンテンツデータが受信できない場合には、当該放送種別又は外部入力端子２８１への切り換えを行わず、当該放送種別の放送データ又は当該外部入力端子２８１のコンテンツデータが受信できない旨を報知する。
【００４０】
具体的には、ＣＰＵ３５１は、リモコン信号受光部２１を介して入力されるリモコン信号に基づいて、リモコン装置１におけるユーザの指示操作を監視している。そして、放送種別又は外部入力端子２８１が割り当てられている数字釦１２の押下操作が行われると、ＣＰＵ３５１は、押下されている時間をカウントし、当該押下が長押し操作（例えば、２秒以上の連続押下操作）であるか否かを判断する。そして、長押し操作がなされたと判断した場合には、設定メモリ３５４ａから、長押し操作された数字釦１２に割り当てられている放送種別又は外部入力端子２８１を読み出して、割り当てられている放送種別又は外部入力端子２８１への切り換えを指示する制御信号を、切換部２９に出力する。切換部２９では、ＣＰＵ３５１からの切換制御信号に従って、長押し操作された数字釦１２に割り当てられている放送種別又は外部入力端子２８１に切換接続し、切り換えた放送種別の放送データ又は外部入力端子２８１からのコンテンツデータを受信する。
例えば、外部入力端子２８１ｄが割り当てられた数字釦「４」１２が長押し操作された場合、ＣＰＵ３５１は、切換部２９に、外部入力端子２８１ｄへの切り換えを切換部２９に指示し、外部入力端子２８１ｄ（例えば、ＨＤＭＩ端子）に接続された外部機器２００から入力されるコンテンツデータの受信を行う。また、例えば、ＢＳデジタル放送が割り当てられた数字釦「７」１２が長押し操作された場合、ＣＰＵ３５１は、切換部２９に、ＢＳデジタル放送への切り換えを切換部２９に指示するとともに、ＢＳデジタル放送に対応するチューナ２５に、ＢＳデジタル放送における所定のチャンネルの選局を指示する制御信号を出力して、ＢＳデジタル放送における所定のチャンネルの放送データを受信する。なお、各放送種別への切換時における選局は、例えば、その放送におけるチャンネル番号が最小のチャンネルであっても良く、また、その放送において最後に選局されたチャンネルであっても良い。
また、ＣＰＵ３５１は、放送種別又は外部入力端子２８１が割り当てられた数字釦１２の長押し操作が行われた際に、直ちにその放送種別又は外部入力端子２８１に切り換えるのではなく、図８に示すように、切り換えを行うか否かをユーザに尋ねるＯＳＤを表示部３３に表示させて、このＯＳＤ表示において切り換えを行う旨が選択された場合に切り換えを実行しても良い。
【００４１】
また、ＣＰＵ３５１は、長押し操作された数字釦１２に割り当てられている放送種別又は外部入力端子２８１への切換接続を行う際、切り換え先の放送種別の放送データ又は外部入力端子２８１からのコンテンツデータが受信できない場合には、その放送種別又は外部入力端子２８１への切換接続を行わず、図９に示すように、長押しされた数字釦１２に割り当てられた放送種別の放送データ又は外部入力端子２８１のコンテンツデータが受信できない旨を報知するＯＳＤ表示を表示部３３に表示させる。
また、例えば、地上デジタル放送が割り当てられた数字釦１２（例えば、数字釦「５」１２）の長押し操作に基づいて、地上デジタル放送への切り換えを行う際、チャンネルスキャン処理が行われていない場合には、チャンネルスキャンを促すＯＳＤ表示（図１０（ａ）参照）、又は、チャンネルスキャンを行うか否かをユーザに選択させるＯＳＤ表示（図１０（ｂ））を表示部３３に表示させ、これらのＯＳＤ表示に基づくユーザの操作に従って、チャンネルスキャン処理を実行／非実行する。
ＣＰＵ３５１は、かかる第１切換プログラム３５５ｃを実行することにより、切換部２９及び表示部３３とともに、第１切換手段及び報知手段として機能する。
【００４２】
第２切換プログラム３５５ｄは、例えば、ＣＰＵ３５１に、リモコン装置１における数字釦１２の短押し操作（第２の操作）に基づいて、当該数字釦１２に割り当てられたチャンネルに切り換える機能を実現させるためのプログラムである。
具体的には、例えば、地上デジタル放送の選局において、数字釦「５」１２が短押し操作されると、チャンネル「０５１」の選局を指示するための制御信号が、制御部３５によりチューナ２５等に出力され、チャンネル「０５１」の放送データが受信される。また、例えば、ＢＳデジタル放送の選局において、数字釦「５」１２が押下されると、チャンネル「１５１」の選局を指示するための制御信号が、制御部３５によりチューナ２５等に出力され、チャンネル「１５１」の放送データが受信される。
ＣＰＵ３５１は、かかる第２切換プログラム３５５ｄを実行することにより、チューナ２５とともに、第２切換手段として機能する。
【００４３】
次に、図１１のフローチャートを参照しながら、本テレビジョン受像機１００において行われる切換処理について説明する。なお、本処理では、例えば、数字釦１２の長押し操作がなされた場合に、割り当てられた放送種別又は外部入力端子２８１への切り換えの有無を選択するＯＳＤ表示（図８参照）を表示部３３に表示させ、切り換えの有無をユーザに選択させる場合について説明する。
まず、ステップＳ１において、ＣＰＵ３５１は、放送種別又は外部入力端子２８１が割り当てられた数字釦１２が押下されたか否かを判断する。ステップＳ１において、ＣＰＵ３５１は、割り当てのある数字釦１２が長押し操作されたと判断すると（ステップＳ１；Ｙｅｓ）、ステップＳ２において、設定メモリ３５４ａを参照して、長押し操作された数字釦１２に割り当てられている放送種別又は外部入力端子２８１を判別する。
そして、ステップＳ３において、割り当てられている放送種別又は外部入力端子２８１への切り換えを行うか否かをユーザに尋ねるＯＳＤ表示を表示部３３に表示させ、このＯＳＤ表示において、ユーザが切り換えを行う旨を選択したか否かを判断する。ＣＰＵ３５１は、ステップＳ３において、ユーザが切り換えを行う旨を選択したと判断すると（ステップＳ３；Ｙｅｓ）、ステップＳ４において、切換部２９に、長押し操作された数字釦１２に割り当てられている放送種別又は外部入力端子２８１への切り換えを指示する制御信号を出力して、切換部２９に、長押し操作された数字釦１２に割り当てられている放送種別又は外部入力端子２８１に切り換えさせ、本処理を終了する。一方、ＣＰＵ３５１は、ステップＳ３において、ユーザが切り換えを行わない旨を選択したと判断すると（ステップＳ３；Ｎｏ）、切り換えを行わず、本処理を終了する。
一方、ＣＰＵ３５１は、ステップＳ１において、割り当てのある数字釦１２が長押し操作されず、短押し操作されたと判断すると（ステップＳ１；Ｎｏ）、短押し操作された数字釦１２に対応付けられているチャンネルの選局を指示する制御信号をチューナ２５に出力し、チューナ２５に短押し操作された数字釦１２に割り当てられたチャンネルの放送データを選局させ、本処理を終了する。
【００４４】
以上説明した本実施形態におけるテレビジョン受像機１００によれば、放送種別又は外部入力端子２８１が割り当てられるとともに、チャンネルが割り当てられた数字釦１２を備えるリモコン装置１が備わり、設定プログラム３５５ａの実行により、数字釦１２の割り当てられる放送種別又は外部入力端子２８１が設定され、表示プログラム３５５ｂにより、数字釦１２に割り当てられた放送種別又は外部入力端子２８１に関する情報が表示され、第１切換プログラム３５５ｃの実行により、リモコン装置１における数字釦１２の長押し操作（第１の操作）に基づいて、当該数字釦１２に割り当てられた放送種別又は外部入力端子２８１に切り換えられ、第２切換プログラム３５５ｄの実行により、リモコン装置１における数字釦１２の短押し操作（第２の操作）に基づいて、当該数字釦１２に割り当てられたチャンネルに切り換えられる。また、第１切換プログラム３５５ｃの実行により、リモコン装置１における数字釦１２の長押し操作が行われた際に、当該数字釦１２に割り当てられた放送種別の放送データ又は外部入力端子２８１のコンテンツデータが受信できない場合には、当該放送種別又は当該外部入力端子２８１への切り換えが行われず、第１切換プログラム３５５ａの実行により、当該放送種別の放送データ又は当該外部入力端子２８１のコンテンツデータが受信できない旨が報知される。
したがって、リモコン装置１の釦を増やすことなく、容易な操作で、希望の放送種別や外部入力に切り換えることができる受信装置を提供することができる。
【００４５】
また、設定プログラム３５５ａの実行により、数字釦１２の割り当てられる放送種別又は外部入力端子２８１をユーザが設定することができるため、リモコン装置１を、ユーザにとって使い易いものとすることができる。さらに、設定プログラム３５５ａの実行において、利用しない放送種別や外部入力端子２８１を、数字釦１２に設定しなければ、入力切換釦を押下し続けたり、入力切換釦を何度も押下して希望の放送種別・外部入力端子２８１を選択する従来の受信装置のように、利用しない放送種別や外部入力端子２８１に切り換えられることがなくなるため、無駄な手間を省いて、操作の短縮化を図ることができる。
【００４６】
また、第１切換プログラム３５５ｃの実行により、リモコン装置１における数字釦１２の第１の操作が行われた際に、当該数字釦１２に割り当てられた放送種別の放送データ又は外部入力端子２８１のコンテンツデータが受信できない場合には、当該放送種別又は当該外部入力端子２８１への切り換えが行われないため、放送データ又はコンテンツデータの受信できない放送種別又は外部入力端子２８１への無駄な切り換えを防ぐことができる。
また、第１切換プログラム３５５ａの実行により、当該放送種別の放送データ又は当該外部入力端子２８１のコンテンツデータが受信できない旨が報知される。したがって、ユーザは、切換先の放送種別の放送データ又は外部入力端子２８１からのコンテンツデータを受信できない旨を速やか且つ確実に認識することができ、放送データ又はコンテンツデータの受信できない放送種別又は外部入力端子２８１に切り換えられた場合のユーザの混乱を防止することができる。
【００４７】
また、表示プログラム３５５ｂの実行により、数字釦１２に割り当てられた放送種別又は外部入力端子２８１に関する情報が表示される。したがって、ユーザは、各数字釦１２に割り当てられている放送種別又は外部入力端子２８１を一目で容易且つ確実に把握することができる。
【００４８】
また、第１切換プログラム３５５ｃにおける第１の操作は長押し操作であるため、ユーザは、希望の放送種別又は外部入力端子２８１に切り換えるために入力切換釦を押下し続けたり、入力切換釦を何度も押下する必要がなく、長押しのワンタッチ操作で、希望の放送種別又は外部入力端子２８１に切り換えることができる。また、第２切換プログラム３５５ｄにおける第２の操作は短押し操作であるため、ユーザは、短押しのワンタッチ操作で、希望のチャンネルを選局することができ、第１の操作と併せて、リモコン装置１の操作性が非常に高いものとなる。
【００４９】
なお、本発明は、上記実施の形態に限られることなく、本発明の趣旨を逸脱しない範囲において種々の改良並びに設計の変更を行っても良い。
例えば、数字釦１２に割り当てることができる放送種別・外部入力端子２８１は、上記実施の形態において例示したものに限られず、例えば、数字釦１２に、ＢＳラジオ放送への切り換えを割り当てても良い。
【００５０】
また、例えば、数字釦１２に割り当てられた各外部入力端子２８１からのコンテンツデータの入力の有無や、数字釦１２に割り当てられた放送種別の放送データの受信の可否を検知する検知手段を設けるとともに、各数字釦１２に対応づけて、ＬＥＤランプ等の報知部を設ける。そして、検知手段による検知結果に基づいて、各数字釦１２に対応するＬＥＤランプ等の報知部を点灯（又は、消灯）させ、外部入力端子２８１からのコンテンツデータの有無や各放送種別の放送データの受信の可否を、ユーザに報知する第２報知手段が設けられていても良い。
これにより、ユーザは、第１切換手段による放送種別又は外部入力端子への切り換えの実行前に、リモコン装置１の数字釦１２に対応付けられたＬＥＤランプを確認することにより、放送データ又はコンテンツデータを受信可能な放送種別又は外部入力端子２８１が割り当てられた数字釦１２を容易且つ確実に認識することができ、放送データ又はコンテンツデータの受信できない放送種別又は外部入力端子２８１への無駄な切り換えを防ぐことができる。また、操作すべき数字釦を容易に認識することができる。
また、各数字釦１２に対応づけられたＬＥＤランプ等の報知部の点灯色をユーザが自由に設定することが可能であっても良い。これにより、設定手段により数字釦に設定された放送種別又は外部入力端子２８１を、より容易に把握することができる。
【図面の簡単な説明】
【００５１】
【図１】本実施形態におけるテレビジョン受像機の全体構成を例示する図である。
【図２】本実施形態におけるテレビジョン受像機に備わるリモコン装置の平面図である。
【図３】本実施形態におけるテレビジョン受像機を構成する本体部の要部構成を示すブロック図である。
【図４】表示部に表示される切換設定画面である。
【図５】各数字釦に割り当てられた放送種別又は外部入力端子を記憶する設定メモリを例示する図である。
【図６】各数字釦に割り当てられた放送種別又は外部入力端子を表示する設定表示画面を例示する図である。
【図７】長押し操作された数字釦に割り当てられた放送種別又は外部入力端子への切り換えを行う際に、切り換え先の放送種別又は外部入力端子を報知するＯＳＤ表示である。
【図８】長押し操作された数字釦に割り当てられた放送種別又は外部入力端子への切り換えを行うか否かをユーザに選択させるＯＳＤ表示を例示する図である。
【図９】長押し操作された数字釦に割り当てられた放送種別の放送データ又は外部入力端子からのコンテンツデータが受信できない旨をユーザに報知するＯＳＤ表示を例示する図である。
【図１０】図１０（ａ）は、チャンネルスキャン処理を促すＯＳＤ表示を例示する図であり、図１０（ｂ）は、チャンネルスキャン処理を実行する否かを尋ねるＯＳＤ表示を例示する図である。
【図１１】本テレビジョン受像機において行われる切換処理を示すフローチャートである。
【符号の説明】
【００５２】
１００                  テレビジョン受像機（受信装置）
１                      リモコン装置
１２                    数字釦
２５                    チューナ（第２切換手段）
２８１ａ〜ｄ（２８１）  外部入力端子
２９                    切換部（第１切換手段）
３３                    表示部（表示手段、報知手段）
３５１                  ＣＰＵ（設定手段、表示手段、第１切換手段、報知手段、第２切換手段）
３５５ａ                設定プログラム（設定手段）
３５５ｂ                表示プログラム（表示手段）
３５５ｃ                第１切換プログラム（第１切換手段、報知手段）
３５５ｄ                第２切換プログラム（第２切換手段）
【図１】
2009088610.tif 000003
【図２】
2009088610.tif 000004
【図３】
2009088610.tif 000005
【図４】
2009088610.tif 000006
【図５】
2009088610.tif 000007
【図６】
2009088610.tif 000008
【図７】
2009088610.tif 000009
【図８】
2009088610.tif 000010
【図９】
2009088610.tif 000011
【図１０】
2009088610.tif 000012
【図１１】
2009088610.tif 000013